(57)【要約】 【課題】  内径の異なる複数のスリーブの仮止めを１種類の仮止め部材で実施しかつ仮止め部材の強度を高く保持する。【解決手段】  円周方向に変形可能な円筒部２の内側に支持部４、５、６を円筒部２の中心に向かって形成し、各支持部の先端側に、円筒部２の半径Ｒ１となるピン挿通穴６ｃ（図に現れない４ｃ、５ｃ）と、半径Ｒ２となるピン挿通穴４ｄ、６ｄ（図に現れない５ｄ）とを形成し、これらピン挿通穴４ｃ、５ｃ、６ｃにピンを挿通して円筒部２の半径Ｒ１となる仮止め部材を形成し、或いはピン挿通穴４ｄ、５ｄ、６ｄにピンを挿通して円筒部２の半径Ｒ２となる仮止め部材を形成することにより内径２Ｒ１又は２Ｒ２の二つのタイプのスリーブの仮止めを行う。【選択図】        図１
2005344381.tif 000002
【特許請求の範囲】
【請求項１】
コンクリートパネルに固定しかつスリーブの端部を嵌挿することによりコンクリートを打設する空間部にスリーブを仮止めする部材であって、円周方向において一部切り欠きを有しかつ当該円周方向に変形可能な円筒部と、この円筒部の中心方向に突設しかつ円筒部の半径を成す複数の支持部とを有し、各支持部のそれぞれには円筒部外周からの距離が異なるピン挿通穴が複数形成され、各支持部における円筒部外周からの距離が等しいピン挿通穴を選択してピン等の係合部材で各支持部を係合固定することにより所定の半径を有する円筒部を形成するよう構成したことを特徴とするスリーブの仮止め部材。
【請求項２】
前記円筒部の切り欠き部を構成する円筒部端部にそれぞれ支持部が連設され、かつ第３の支持部がこれら両円筒部端部からほぼ等しい距離において突設されていることを特徴とする請求項１記載のスリーブの仮止め部材。
【請求項３】
仮止め部材全体をコンクリートパネルに取り付けるための取付部が円筒部の内周壁に突設形成されていることを特徴とする請求項１又は２記載のスリーブの仮止め部材。
【請求項４】
前記取付部の幅は円筒部の幅と等しく形成されることにより、取付部端部と円筒部の端縁が同一平面に位置するよう構成したことを特徴とする請求項３に記載のスリーブの仮止め部材。
【発明の詳細な説明】
【技術分野】
【０００１】
本発明はコクリート構造物を形成する際のコンクリート打設時に、コンクリート構造物の壁部、床部等となるコンクリート構造部に埋設するスリーブをコンクリートの打設前に仮止めする部材に関する。
【背景技術】
【０００２】
アパート、マンション等の集合住宅、オフィスビル等をはじめとするコンクリーと構造物においては、外部との通気の確保、エアコンディショナの電源コード、ドレイン管の設置等種々目的のため、構造物内外を挿通する開口部を少なからず設置する必要がある。
【０００３】
この開口部は、構造物の壁部等のコンクリート構造部を構成するためのコンクリート打設時に、コンクリートを注入する空間部にスリーブを配置することにより構成される。壁部を構成する場合を例により具体的に説明すると、対向位置することよりコンクリートを打設する空間部を構成する一対のコンクリート打設用パネル（以下「コンクリートパネル」と称する）の所定の位置に予め仮止め部材を固定し、スリーブ両端部をこれら仮止め部材に係合することによってコンクリートパネルにより形成された前記空間内の所定の位置にスリーブをそれぞれ配設する。この状態でコンクリートを打設し、コンクリートの固化後に前記コンクリートパネルを取り外す際に、このコンクリートパネルごとスリーブから仮止め部材を取り去ることにより、壁部を構成するコンクリート構造部の所定の位置にスリーブが配置されることになる。
【０００４】
図５は仮止め部材の従来例を示す。
この構成の仮止め部材は、円筒部２０、円筒部２０の一方の途端縁部に形成されたフランジ部２１、このフランジ部２１の外周部に複数突設された仮止め部材をコンクリートパネルに取り付けるための取付部２２、円筒部２０の内部に形成された補強板２３とから構成されている。
【０００５】
この仮止め部材の取付に当たっては、コンクリートパネルに対して仮止め部材を取り付けるべき位置の中心部を予め決めておき、この中心部に対して仮止め部材の中心２４を位置させ、この状態で取付け部２２を介してコンクリートパネルに対して釘打ちし、仮止め部材をコンクリートパネルに取り付ける。一対のコンクリートパネルの所定の位置にはそれぞれ仮止め部材が配置されるため、各スリーブの両端部は対向するコンクリートパネルのそれぞれの仮止め部材と係合し、コンクリート打設空間の所定の位置にスリーブがそれぞれ配置される。
【０００６】
図６はコンクリートパネル（符号２５で示す）、仮止め部材及びスリーブ２６との関係を示す。コンクリートパネル２５に固定された仮止め部材に対してスリーブ２６の一端が嵌挿され、かつスリーブ２６の図示しない他端も同様に仮止め部材に嵌挿され、両端の仮止め部材によりスリーブ２６はコンクリート打設用空間の所定の位置に固定される。この状態で当該空間部にセメントが投入され、セメントが固まったならばコンクリートパネル２５を取り外すことにより、同パネル２５に釘打ちされた仮止め部材もスリーブ２６から同時に外され、所定の位置にスリーブ２６が配設されたコクリート構造部２８が構成される。
【０００７】
以上構成の仮止め部材はスリーブ２６をコンクリート構造部の所定の位置に配設する治具としてそれ自体としてはかなり有効であるが、次のような問題がある。
即ち図５に示すように、仮止め部材の円筒部２０の外径はその構造上当然のことながら一定の値に固定されている。コンクリート打設時にスリーブ２６を確実に固定するには円筒部２０の外径はスリーブの内径とほぼ一致させてスリーブ２６の支持にがたつきが生じないようにする必要がある。
【０００８】
一方コンクリート構造物の構造の態様、その目的等により現実には内径の異なる各種スリーブが用いられており、この結果、スリーブの内径に対応したそれぞれの仮止め部材が必要となって、多種類の仮止め部材を提供する必要が生じて経済生に問題がある。
【０００９】
また図６の如く仮止め部材の取付部２２がコンクリート構造部２８側に突出した状態であるため、仮止め部材を取り去ると、コンクリート構造部２８の取付部２２の位置に同形状の凹所が残ってしまう。なお、フランジ部２１の幅はスリーブ２６の肉厚とほぼ同じであればフランジ部２１に関連する凹所は形成されない。
【００１０】
図７は上記の問題点に鑑み構成された仮止め部材である。この仮止め部材は、一部が切りかかれた円筒部２９と、この円筒部２９の外周部に突設された取付部３０とにより構成されている。
【００１１】
この仮止め部材の円筒部２９は可撓性を有しており、円筒部２９を矢印のように曲げることにより円筒部２９の直径を異ならせ、これにより内径の異なるスリーブの仮り止めに対処するよう構成している。
【００１２】
上記構成の仮止め部材は一つの仮止め部材で複数のスリーブに対応できる多用途性を有しているため、経済的的であるが、反面次のような問題がある。
先ず、円筒部２９はその目的上可撓性を有するため、円筒部２９の肉厚をあまり厚くしたり、固い材料により構成することがでず、しかも図５に示す仮止め部材のような補強板２３を形成することもできない。この結果、仮止め部材としての強度が不足し、コンクリートの打設時にスリーブがずれたり、変形したりする危険性がある。
【００１３】
また、上記補強板を構成できないことにより仮止め部材の中心を決めることが困難であり、仮止め部材をコンクリートパネルの所定の位置に正確に取り付けることが難しい。また、円筒部２９に対する取付部の形成状態も図５に示す仮止め部材と同じであるため、コンクリート構造部に対して同様の凹所が形成されてしまう。
【００１４】
なお、本願発明に関連する特許出願等の先行技術の開示は少ないが、下記のものが見受けられる。但し、このうち特許文献１は仮止め部材は暗渠用コンクリート製品に用いるものであり、その目的、構成ともに異なるものである。
また特許文献２は本発明に類似する部分もあるが、外輪部に接続する３本の接合片が同一方向に屈曲することにより外輪部の直径を変更可能としたものであり、接合片が屈曲することによりコンクリート打設時に、スリーブに加わる負荷を支えきれず外輪部の変形と共にスリーブ自体も変形する恐れが高い。つまり接合片は外輪部の補強材としては全く機能せず、言わば座屈するように作用するため仮止め部材としての強度が不足する可能性が高い。
【特許文献１】特開２００２−１２７１１９
【特許文献２】特開平１１−２３６７６３
【発明の開示】
【発明が解決しようとする課題】
【００１５】
上記の点に鑑み本願発明は次の課題を解決するために構成されている。
先ず、一つの仮止め部材により複数のスリーブの仮止めを可能にすること。
次に、コンクリートの打設時にスリーブの変形及びずれ等が生じないよう仮止め部材として十分な強度を有すること。
【課題を解決するための手段】
【００１６】
本発明は、上記課題を達成するため次のような構成を有している。
一部を切り欠きかつ可撓性を有する円筒部と、この円筒部内側において円筒部の中心に向かって突設されている複数の支持部とを有し、各支持部にはそれぞれ等しい半径を共有するよう中心の位置決めをする挿通穴が複数形成されており、かつ要すれば仮止め部材全体をコンクリートパネルに固定する取付部は当該円筒部の内側に形成され、その両端面は円筒部軸心方向において円筒部の両端面の距離と等しく形成されることによりコンクリート構造物に対して取付部に対応する凹所が形成されないよう構成されている仮止め部材であることを特徴とする。
【発明の効果】
【００１７】
仮止め部材の本体を成す円筒部を変形させ、かつ円筒部内に突設形成された複数の支持部を、共通する半径で固定することにより所望の半径を有する仮止め部材を構成し、一つの仮止め部材で内径の異なるスリーブの仮止めにそれぞれ対応する事が可能となる。
【００１８】
前記支持部材は仮止め部材の半径を決定する他、仮止め部材全体を補強する補強部材としても機能するため、仮止め部材全体の強度が高く、コンクリート打設時に仮止めされたスリーブが変形したり、位置がずれる等の事態を防止することができる。
【００１９】
仮止め部材を構成する各部分は全て円筒部の内側に形成されるため、スリーブの仮止め時に仮止め部材全体がスリーブ２６内に収納された形となり、スリーブの端縁部はコンクリート打設に使用するコンクリートパネルに密着し、当該コンクリートパネルを取り外した後に仮止め部材の取付部等の配置跡がコンクリート構造物に残ることがない。
【発明を実施するための最良の形態】
【００２０】
円筒部の切り欠き部の端部から円筒部中心に向かってそれぞれ支持部が突設され、かつ円筒部の切り欠き部両端からほぼ等しい位置において、円筒部中心に向かって第３の支持部が突設されることより、円筒部の変形と、この変形に対応して仮止め部材全体の強度を十分に高く保持する。
【実施例１】
【００２１】
以下図面を用いて本発明の実施例を説明する。
図１および図２において、矢印１は仮止め部材を示す。２はこの仮止め部材１の本体を成す円筒部であって、その一部は切り欠かれており、この切り欠き部を中心として図１の矢印方向、即ち円筒部２の円周方向に変形可能に構成されている。
【００２２】
符号３ａ、３ｂ、３ｃは仮止め部材１全体をコンクリートパネルに取り付けるための取付部であり、図示の如く円筒部２の内周面側に突設形成されると共に、図１における上下の端縁が円筒部２の上下の端縁と同一平面となるよう円筒部２の幅Ｗと等しい幅で構成されている。
【００２３】
次に符号４、５、６は支持部である。
このうち支持部４及び５は円筒部２の切り欠き部を構成するる円筒部２の開放端の両端部に連設するようにして構成されている。支持部の構成を主として支持部４を例に説明すると、符号４ａは円筒部２に連接する基部であり、その幅は円筒部２の幅と同じＷとして構成されている。
【００２４】
符号４ｂは基部４ａの先端に形成された係合部であり、円筒部２の幅Ｗ内で後述する他の二つの支持部の係合部と係合固定するため、その幅がほぼ幅Ｗの１／３となるよう構成され、かつ当該係合部４ｂは他の係合に対して最下段に位置するよう幅Ｗの２／３の段差をもって基部４ａ先端に突設形成されている。
【００２５】
支持部５も基本的には前記支持部４と同じ構成であるが、支持部４の係合部４ｂの上部に係合部５ｂが位置するよう構成するため、基部５ａに対して上下に幅Ｗの１／３の段部を形成することにより当該基部５ａの先端に突設形成される。
【００２６】
符号６は第３の支持部であって、図示の構成では取付部３ｂに連設するようにして構成されている。この支持部６の係合部６ｂは前記各係合部４ｂ、５ｂに対して最上部に位置するよう構成するため、前記支持部４とは逆に支持部６の下部側に幅Ｗの２／３の段差をもって基部６ａ先端に突設形成されている。以上の構成により、各支持部４、５、６及び取付部３ａ、３ｂ、３ｃは何れも円筒部２の内部に形成され、かつその幅は円筒部２の幅Ｗと等しく構成されている。
【００２７】
次に、これら各支持部４、５、６の係合部４ｂ、５ｂ、６ｂには円筒部２の中心を位置決めするためのピン等の連通軸を挿通させる穴が複数個（図示の構成ではそれぞれ２個）形成されている。これを支持部６の構成で先ず説明すると、係合部６ｂの先端側に円筒部２の半径をＲ１とする距離において挿通穴６ｃが形成され、かつその後位置に円筒部２の半径をＲ２とする距離において挿通穴６ｄが形成されている。同様にして支持部４と５の係合部４ｂ、５ｂには円筒部２の半径をＲ１とする距離において挿通穴４ｃ、５ｃが、またこれらの穴の後位置には円筒部２の半径をＲ２とする距離において挿通穴４ｄ、５ｄがそれぞれ形成されている。
【００２８】
図示の構成では挿通穴は各支持部において２個ずつ形成されているが、この挿通穴の形成個数を３以上に増加させることはもとより可能である。
【００２９】
以上の構成の仮止め部材１において、図示しない挿通ピン（現場において釘等を代用することも可能）を各係合部４ｂ、５ｂ、６ｂの挿通穴４ｃ、５ｃ、６ｃに挿通すれば、半径Ｒ１の外径を有する仮止め部材１が構成される（符号ＣＲ１）。また同様にして４ｄ、５ｄ、６ｄに挿通すれば半径Ｒ２の外径を有する仮止め部材１が構成される（符号ＣＲ２）。従って前者の構成では内径が２Ｒ１のスリーブに対応でき、後者の構成では内径が２Ｒ２のスリーブに対応できることになる。
【００３０】
図３は各係合部４ｂ、５ｂ、６ｂの挿通穴４ｃ、５ｃ、６ｃにピンを挿通した状態を示す。この仮止め部材１は図１における仮止め部材１表面及び裏面が全て同一面に位置するため、コンクリートパネルに対してはこの上面が密着するようにして取り付けても、逆に裏面を密着するようにして取り付けてもよい。図３として示す図は、図１に示す状態の仮止め部材の上面をコンクリートパネルに対する密着面とし、この仮止め部材を図１に示す状態の裏面から見た場合の状態を示す。
【００３１】
図中（Ａ）は挿通穴４ｃ、５ｃ、６ｃにピンを挿通して円筒部２の半径をＲ１とした場合の各支持部４、５、６の位置関係を示し、（Ｂ）は挿通穴４ｄ、５ｄ、６ｄにピンを挿通して円筒部２の半径をＲ２とした場合の各支持部４、５、６の位置関係を示している。この場合（Ａ）における各支持部４と５の成す角α１と（Ｂ）における各支持部４と５の成す角α２とでは支持部４と５が近接する分α２はα１よりも小さくなる。
【００３２】
図４は以上のようにしてピンにより円筒部２の半径を所定の値に決定したならばこの仮止め部材１をコンクリートパネルの所定の位置に釘付けする。この場合、各支持部４、５、６のピン挿通部が円筒部２の中心となるため、コンクリートパネルの所定の位置に中心を位置決めすれば、この位置決めされた中心点と仮止め部材１の中心を一致させることによりコンクリートパネルに対して仮止め部材１の位置を容易に決めることができる。
【００３３】
位置決めが完了したならば取付部３ａ、３ｂ、３ｃの釘穴を介して釘２７をコンクリートパネル２５に打ち込み仮止め部材１の取付を完了する。次にこの仮止め部材１の外径と等しい内径を有するスリーブ２６の両端をそれぞれの仮止め部材１に挿通することによりスリーブ２６を仮り止めする。
【００３４】
この場合、図１を用いて説明するとて仮止め部材１を構成する各部分は全て円筒部２の内側に形成されるため図４の如く仮止め部材１はスリーブ２６内に全て収納された形となって、コンクリート構造物に対して凹所等が形成されることはない。
【００３５】
また、各支持部４、５、６は円筒部２の半径を決定すると共に仮止め部材１全体の補強を行うため、仮止め部材１の強度は非常に高く、コンクリートの打設時にスリーブ２６が変形したりずれたりすることはない。
【産業上の利用可能性】
【００３６】
アパート、マンション等のコンクリート構造物の集合住宅では極めて多数のスリーブが配設され、かつ使用されるスリーブは規格化された数種類のものとなるため、仮止め部材は一種類、或いは２種類程度で、その半径を変えることにより殆ど全ての場合に対応することができる。
【００３７】
また、実施例も含めて建築構造物を例に説明したが、プール等のコンクリート構造物の水循環穴、排水穴の形成等、広くコンクリート構造物の施工に応用可能である。
【図面の簡単な説明】
【００３８】
【図１】本発明の実施例を示す仮止め部材の斜視図である。
【図２】図１に示す仮止め部材の平面図である。
【図３】仮止め部材の各支持部の係合状態を示す仮止め部材の平面部分図であって、（Ａ）は円筒部が大きい半径を有する係合させた場合を、（Ｂ）は円筒部が小さい半径を有するよう係合させた場合の係合状態を示す。
【図４】図１に示す仮止め部材を用いたスリーブの仮止め状態を示すコンクリート構造物の断面図である。
【図５】従来の仮止め部材の平面図である。
【図６】図５に示す従来型仮止め部材を用いたスリーブの仮止め状態を示すコンクリート構造物の断面図である。
【図７】別の構成の従来型仮止め部材の斜視図である。
【符号の説明】
【００３９】
１  仮止め部材
２  円筒部
３ａ、３ｂ、３ｃ  取付部
４  支持部
４ａ  （支持部４の）基部
４ｂ  （支持部４の）係合部
４ｃ、４ｄ  （支持部４の）挿通穴
５  支持部
５ａ  （支持部５の）基部
５ｂ  （支持部５の）係合部
５ｃ、５ｄ  （支持部５の）挿通穴
６  支持部
６ａ  （支持部６の）基部
６ｂ  （支持部６の）係合部
６ｃ、６ｄ  （支持部６の）挿通穴
２５  コンクリートパネル
２６  スリーブ
２７  釘
２８  コンクリート構造部
【図１】
2005344381.tif 000003
【図２】
2005344381.tif 000004
【図３】
2005344381.tif 000005
【図４】
2005344381.tif 000006
【図５】
2005344381.tif 000007
【図６】
2005344381.tif 000008
【図７】
2005344381.tif 000009